(57)【特許請求の範囲】
【請求項１】
内周に円周一方向ラチェット型ギアが形成されたハウジングと、
前記ハウジングの内側に回転可能に挿入され、ワイヤが選択的に巻き取られる巻取部材と、
前記ハウジングに下部が結合される結合軸の上部に半径方向に突出して備えられるサポート部と、
中間部材と、を含み、
前記中間部材の本体部から延長されて、弾性支持力を有する翼部の端部には、前記ラチェット型ギアに選択的に噛み合って一方向回転が拘束される噛合拘束部が備えられ、
前記中間部材の中央部には、弾性結合孔が形成され、
前記弾性結合孔の周辺には、弾発拘束部が形成され、
前記中間部材の下部が前記巻取部材の上部に選択的に結合されるように、前記中間部材が外力によって昇降されることにより、前記弾発拘束部は、前記サポート部の外周によって上昇及び下降状態が保持されるように支持され、
前記弾発拘束部は前記弾性結合孔の周辺に上下方向に多段に配置されて、前記サポート部の外周が選択的に装着される第１装着部及び第２装着部を含み、
前記第１装着部は前記外力が前記中間部材に加えられることにより前記サポート部が選択的に貫通されながら弾発的に広がるように上方へ突出した弾性片の上部に形成され、
前記第１装着部と前記第２装着部は円周方向に沿って交互に放射状に配置されていることを特徴とするワイヤー締付装置。
【請求項２】
前記サポート部の外周上部には下側に行くほど半径方向の外側に傾斜したガイド部が形成され、前記サポート部の外周下部には下側に行くほど半径方向の内側に傾斜した係止部が形成され、
前記弾性片の内周は前記ガイド部と噛み合うように傾斜して形成されていることを特徴とする請求項１に記載のワイヤー締付装置。
【請求項３】
前記巻取部材の上部及び前記中間部材の下部には相互選択的に噛み合って結合される係止噛合部及び係止結合部が形成され、
前記中間部材の上部には外力を伝達するように回転カバーが回転方向及び上下方向に一体に動作するように結合されていることを特徴とする請求項１に記載のワイヤー締付装置。
【発明の詳細な説明】
【技術分野】
【０００１】
本発明はワイヤー締付装置に関し、さらに詳しくは、構成が単純化され、組み立てが簡素化されて生産性及び耐久性が顕著に改善されたワイヤー締付装置に関する。
【背景技術】
【０００２】
スニーカーなどの靴は使用者の足サイズに密着するように靴の紐がジグザグ状に連結されるように備えられ、上記靴の紐を引っ張って締め付けることにより、靴と使用者の足との密着性を高めて快適な歩行ができるようになっている。
【０００３】
しかしながら、小学校低学年あるいは就学前の子供やお年寄りの場合には、靴の紐を解いたり締めたりすることが容易でなく、特に山登り、競輪などのような運動をする選手たちの場合、固定されていない紐の両端部や結び目が激しい動きによってまたは外部物体に引かかって解けてしまう場合、記録の低下や事故の発生など好ましくない結果をもたらすため、靴の紐の解けは絶対的に防止されなければならない。また、運動が終わって休み時間にはぎゅっと締めた靴紐を簡単に解けることができてこそ十分休むことができる。最も好ましくは、靴紐を簡単に締めることができ、締められた状態が持続されると同時に、必要時に簡単に靴紐を緩く解けることができるようにすべきである。
【０００４】
上記のように、互いに相反する靴紐の締付と解けを円滑にすることができようにするために、靴紐を簡単に締め付けることができる装置が多数開発された。本出願人により出願された韓国登録特許第９５３３９８号には、ラチェットギアを利用した靴紐締付装置が開示されている。
【０００５】
図１は靴紐締付装置が装着された靴の斜視図であり、図２は従来の靴紐締付装置の分解斜視図である。
図１及び図２に示すように、従来の靴紐締付装置１０は靴の前皮Ｔに備えられ、回転カバー５１を回転させると中間部材５３と巻取部材５５が結合されて一緒に回転される。この時、上記巻取部材に靴紐Ｌが巻き取られ、中間部材の噛合拘束部５３ｚがハウジング５７の一方向ラチェットギア５７ｃに拘束されて逆方向には回転されないで拘束される。
【０００６】
その後、上記回転カバー５１を上側に引っ張ると、回転軸６１の係止突出部１２３が弾性手段５９を弾発的に加圧して広げながら上側に移動されて中間部材５３が上昇される。これを通じて、上記中間部材５３と巻取部材５５との間の結合状態が解除されて上記巻取部材５５が自在に回転されるので、靴紐Ｌを引っ張って解けるようになっていた。
【０００７】
このために、薄い金属として「Ｕ」字状に形成された弾性手段５９を別途に製造して、複雑な組立工程を通じて上記靴紐締付装置１０に組み立てなければならないという問題があった。
【０００８】
また、上記靴紐締付装置１０は、靴紐を再び解く時、上記回転カバー５１を上側に引っ張る際に上記弾性手段５９が原位置から離脱される場合、製品の故障を引き起こす問題が発生して、製品の耐久性及び信頼性が低下し、これを解決するために、上記弾性手段５９が結合されるハウジング５７の下部構造を複雑に変形させる場合、構造が複雑になり、部品数が増加して製品の生産性が低下するという問題があった。
【先行技術文献】
【特許文献】
【０００９】
【特許文献１】韓国登録特許第１０−０９５３３９８号公報
【発明の概要】
【発明が解決しようとする課題】
【００１０】
上述した問題を解決するために、本発明は構成が単純化され、組み立てが簡素化されて、生産性及び耐久性が顕著に改善されたワイヤー締付装置を提供することを課題とする。
【課題を解決するための手段】
【００１１】
上述した課題を解決するために、本発明によるワイヤー締付装置は、内周に円周一方向ラチェット型ギアが形成されたハウジングと、上記ハウジングの内側に回転可能に挿入され、ワイヤが選択的に巻き取られる巻取部材と、上記ハウジングに下部が結合される結合軸の上部に半径方向に突出して備えられるサポート部と、中間部材と、を含み、上記中間部材の本体部から延長されて弾性支持力を有する翼部の端部には、上記ラチェット型ギアに選択的に噛合されて一方向回転が拘束される噛合拘束部が備えられ、上記中間部材の中央部には、弾性結合孔が形成され、上記弾性結合孔の周辺には、弾発拘束部が形成され、上記中間部材の下部が上記巻取部材の上部に選択的に結合されるように、上記中間部材が外力によって昇降されることにより、上記弾発拘束部は、上記サポート部の外周に沿って上昇及び下降状態が保持されるように支持され、上記弾発拘束部は上記弾性結合孔の周辺に上下方向に多段に配置されて、上記サポート部の外周が選択的に装着される第１装着部及び第２装着部を含み、上記第１装着部は上記外力が上記中間部材に加えられることにより上記サポート部が選択的に貫通されながら弾発的に広がるように上方へ突出した弾性片の上部に形成され、上記第１装着部と上記第２装着部は円周方向に沿って交互に放射状に配置されていることを特徴とする。
【００１３】
この時、上記サポート部の外周上部には下側へ行くほど半径方向の外側に傾斜したガイド部が形成され、上記サポート部の外周下部には下側に行くほど半径方向の内側に傾斜した係止部が形成され、上記弾性片の内周は上記ガイド部と噛み合うように傾斜して形成されることが好ましい。
【００１５】
一方、上記巻取部材の上部及び上記中間部材の下部には相互選択的に噛み合って結合される係止型噛合部及び係止結合部が形成され、上記中間部材の上部には外力を伝達するように回転カバーが回転方向及び上下方向に一体に動作するように結合されることが好ましい。
【発明の効果】
【００１６】
上記解決手段を通じて、本発明のワイヤー締付装置は次のような効果を奏する。
第一に、上記ワイヤー締付装置は、簡単な操作により便利で且つ安定的に上記靴紐を締めたり解いたりすることができるので、製品の高級化及び信頼性を顕著に増大させるだけでなく、上記ワイヤー締付装置は、中間部材と巻取部材との間の結合を選択的に解除するための昇降状態を保持する手段として弾発拘束部が上記中間部材に一体に形成されるので、構成部品数を減少させ、組み立て作業が簡単で、経済性及び生産性をさらに向上させることができる。
【００１７】
第二に、上記弾発拘束部は上記中間部材の中央部に形成された弾性結合孔の周辺に一体に形成されて、分離及び離脱する虞がなく、耐久性が顕著に改善されることができる。
【００１８】
第三に、上記ワイヤー締付装置は、スニーカー及び各種靴に付着されて使用されることができるので、上記ワイヤー締付装置の付着により他製品と差別化され、市場競争力を確保することができる。
【図面の簡単な説明】
【００１９】
【図１】靴紐締付装置が装着された靴の斜視図である。
【図２】従来の靴紐締付装置の分解斜視図である。
【図３】本発明の一実施例によるワイヤー締付装置の分解側面図である。
【図４】本発明の一実施例に適用される中間部材とラチェット型ギアとの関係を示した平面図である。
【図５】（a）は本発明の一実施例によるワイヤー締付装置のワイヤー巻取時の側面図、（b）は（ａ）のB―B’方向で見たワイヤー締付装置の側面投影図である。
【図６】（a）は本発明の一実施例によるワイヤー締付装置のワイヤー解放時の側面図、（ｂ）は（ａ）のC―C’方向で見たワイヤー締付装置の側面投影図である。
【発明を実施するための形態】
【００２０】
以下、添付された図面を参照して本発明の好ましい実施例によるワイヤー締付装置を詳しく説明する。
図３は本発明の一実施例によるワイヤー締付装置の分解側面図であり、図４は本発明の一実施例に適用される中間部材とラチェット型ギアとの関係を示す平面図である。
図３及び図４に示すように、上記ワイヤー締付装置１００は、ハウジング１５７、巻取部材１５５、サポート部材１６０、及び中間部材１５３を含む。
【００２１】
ここで、上記ハウジング１５７の内周上部には円周一方向ラチェット型ギア（図４）１５７ｃが形成され、既設定された側部には、靴紐などとして用いられることができるワイヤＬが貫通されて外部に露出される貫通穴１５７ｄが形成されることが好ましい。
そして、上記ハウジング１５７の内側にはワイヤーＬが選択的に巻き取られる巻取部材１５５が回転可能に挿入され、外力の作用によって上記巻取部材１５５が時計回り方向または反時計回り方向に回転されることにより、上記ワイヤーＬが巻かれたり解けたりするようになる。また、上記ハウジング１５７には結合軸１６１の下部が結合されるが、上記結合軸１６１の上部には円周方向に沿って半径方向に突出したサポート部材１６０が備えられている。
【００２２】
一方、上記中間部材１５３の本体部１５３ｅから弾性支持力を有するように延長された翼部１５３ｙの端部には上記ラチェット型ギア１５７ｃに選択的に噛み合って一方向回転が拘束される噛合拘束部１５３ｚが備えられている。
詳しくは、上記一方向は上記ラチェット型ギア１５７ｃに結合された噛合拘束部が斜面に沿ってスライディングされながら翼部１５３ｙが内側に弾発変形されることによって中間部材１５３が回転可能な方向を意味し、図４では点線で表示されたハウジング１５７のラチェット型ギア１５７ｃに対して噛合拘束部１５３ｚが形成された中間部材１５３が時計回り方向に回転されることができるように構成されている。
【００２３】
つまり、外力によって上記翼部１５３ｙの端部に備えられた噛合拘束部１５３ｚは上記ラチェット型ギア１５７ｃの歯について回転されるが、この時、上記翼部１５３ｙは内側に曲がってから次の歯で弾性回復力の作用によって原状に復帰される。従って、上記翼部１５３ｙがこのような過程を繰り返すことにより上記中間部材１５３は使用者にクリック感を提供しながら、時計回り方向に回転されることができる。しかし、反時計回り方向には、上記翼部１５３ｙが原状態に復帰されることにより、上記噛合拘束部１５３ｚが上記ラチェット型ギア１５７ｃに完全に噛合されて拘束されるので、中間部材が回転されない。
【００２４】
このように、上記円周一方向ラチェット型ギア１５７ｃは、上記中間部材１５３を一方向には回転されるようにするが、反対方向には回転を拘束し、このような回転可能な一方向はラチェット型ギア及び噛合拘束部の形状を調節して上記中間部材が時計回り方向に回転されるように形成されることができ、反時計回り方向に回転されるように設計変更されることもできる。
【００２５】
そして、上記巻取部材１５５の上部及び上記中間部材１５３の下部には相互選択的に噛み合って結合される係止型噛合部１５５ｆ及び係止結合部１５３ｆがそれぞれ円周方向に沿って形成される。ここで、上記係止型噛合部１５５ｆ及び係止結合部１５３ｆの中の少なくともいずれか一つは突出したギア形態に形成されることが好ましい。従って、上記中間部材１５３が上昇すれば、上記係止型噛合部１５５ｆと係止結合部１５３ｆとの間の結合関係が解除されて上記巻取部材１５５は自在に回転することができる状態になる。
【００２６】
このために、上記中間部材１５３の中央部には、弾発拘束部が周辺に形成された弾性結合孔１５３ａが形成されている。ここで、上記弾発拘束部は上記中間部材が外力によって昇降されることによって上記サポート部材１６０の外周によって上昇及び下降された状態が保持されるように支持され、それにより、上記中間部材１５３が上記巻取部材が相互選択的に結合されたり分離されるようにする。即ち、上記中間部材１５３が上昇すると、上記係止型噛合部１５５ｆと係止結合部１５３ｆとの間の結合が解除され、逆に上記中間部材１５３が下降されると、上記係止型噛合部１５５ｆと係止結合部１５３ｆとが相互結合される。
そして、上記中間部材１５３の上部及び外側部には外力を伝達するように回転カバー１５１が回転方向及び上下方向に一体に動作するようにフック結合方式乃至接着剤の結合方式などで結合されることが好ましい。
それにより、使用者は上記回転カバー１５１を一方向に回転させてワイヤＬを締め付けることができ、逆にワイヤＬを解くためには、上記回転カバー１５１を上昇させて上記中間部材１５３と巻取部材１５５との結合を解除した後ワイヤＬの両端を引っ張って簡単に解けるようにすることができる。
【００２７】
一方、図５の（ａ）は本発明の一実施例によるワイヤー締付装置のワイヤー巻取時の側面図であり、図５の（ｂ）は図５の（ａ）のＢ―Ｂ’方向で見たワイヤー締付装置の側面投影図である。
図５の（ａ）及び（ｂ）で示すように、上記弾発拘束部は上記弾性結合孔１５３ａの周辺に上下方向に多段に配置されて、上記サポート部１６０の外周が選択的に装着されるように上下方向に離隔配置された第１装着部１５３ｂ及び第２装着部１５３ｄを含む。このような上記弾発拘束部は中間部材１５５の製造時に一体に射出成形されることが好ましい。
【００２８】
このように、上記回転カバー１５１及び上記中間部材１５３が一体に下降されてサポート部１６０が第１装着部１５３ｂの上面に装着された状態では、上記中間部材１５３の係止結合部１５３ｆと上記巻取部材１５５の係止型噛合部（図６ｂ）１５５ｆが相互結合されて、上記巻取部材１５５も一方向のみに回転され、反対方向への回転は拘束されている状態になる。従って、使用者は回転カバー１５１を一方向に回転させてワイヤＬを巻取部材１５５に巻付けて簡単に締め付けることができる。
【００２９】
図４によれば、上記第１装着部１５３ｂと上記第２装着部１５３ｄは、円周方向に沿って交互に放射状に配置されることが好ましい。ここで、上記第１装着部１５３ｂは、上記外力が上記回転カバー１５１を通じて中間部材１５３に伝達されることにより上記サポート部１６０が選択的に通過可能に弾発的に広がるように上方へ突出した弾性片１５３ｃの上部に形成される（図５（b））。
【００３０】
図６（ａ）は本発明の一実施例によるワイヤー締付装置のワイヤー解け時の側面図であり、図６（ｂ）は図６（ａ）のＣ―Ｃ’方向で見たワイヤー締付装置の側面投影図である。
図６（ａ）及び（ｂ）で示すように、上記回転カバー１５１に外力が加えられて上記回転カバー１５１及び上記中間部材１５３が上側に加圧されると、上記第１装着部１５３ｂと連結された弾性片１５３ｃは上記サポート部１６０の外周に接触及び加圧されて外側へ弾発的に広がる。これを通じて、上記弾性片１５３ｃが広がることによって上記サポート部１６０は上記第１装着部１５３ｂの間のスペースを貫通して下側に配置された第２装着部１５３ｄの上面に装着される。
【００３１】
このように、上記回転カバー１５１及び上記中間部材１５３が一体に上昇して上記サポート部１６０が第２装着部１５３ｄの上面に装着された状態では、上記中間部材１５３の係止結合部１５３ｆと上記巻取部材１５５の係止型噛合部１５５ｆとの間の結合関係が解除されて、上記巻取部材１５５は自在に回転されることができる状態になる。従って、使用者は外部に露出されたワイヤＬを引っ張ると、巻取部材１５５が自在に回転されながらワイヤＬが簡単に解けることができる。
【００３２】
一方、上記のサポート部１６０の外周上部には下側へ行くほど半径方向の外側に傾斜したガイド部１６０ａが形成され、サポート部１６０の外周下部には下側に行くほど半径方向の内側に傾斜した係止部１６０ｂが形成されて、全体的に外周面が「＜＞」形状に形成されることが好ましい。
従って、使用者の操作による外力によって上記回転カバー１５１及び上記中間部材１５３が再び一体に下降する際には、上記ガイド部１６０ａが上記弾性片１５３ｃ及び第１装着部１５３ｂを内側に窄めながら通過して上記係止部１６０ｂが上記第１装着部１５３ｂの上面に装着される。
この場合、上記弾性片１５３ｃの内周は、上記ガイド部１６０ａと噛み合うように傾斜して形成されて、スライディング接触による安定した移動を保証することが好ましい。
【００３３】
一方、上記係止部１６０ｂが第２装着部１５３ｄに装着された状態では、上記ガイド部１６０ａが弾性片１５３ｃの内周面に噛み合うので、外部遊動によって中間部材１５３が上下に揺れずに安定した装着状態を保持して騒音の発生を防止することができる。逆に、上記係止部１６０ｂが第１装着部１５３ｂに装着された状態では、上記中間部材１５３の下部は巻取部材１５５に密着されて外部遊動によって中間部材１５３が上下に揺れずに安定した装着状態を保持してノイズの発生を防止することができる。
【００３４】
このように、上記ワイヤー締付装置１００は、中間部材１５３と巻取部材１５５との間の結合を選択的に解除するための昇降状態を保持する手段として、弾発拘束部が上記中間部材１５３に一体に形成されるので、構成部品数が減少し、組立作業が簡単で、生産性を向上させることができるとともに、耐久性も向上させることができる。
【００３５】
さらに、上記ワイヤー締付装置１００は、簡単な操作により便利で且つ安定的に靴紐などで用いられるワイヤＬを締めたり緩めたりすることができるので、製品の高級化及び信頼性を顕著に増大させるだけではなく、スニーカーと各種ワイヤーの締め付けが必要な物品に装着して使用することができるので、上記ワイヤー締付装置１００の付着により他製品と差別化され、製品の市場競争力を確保することができる。
【００３６】
一方、本発明によるワイヤー締付装置１００は、靴紐の締め付けの際のみの使用に限定されるのではなく、その他の紐を締める多数のデバイスに適用されて使用されることもでき、また、本発明の技術的思想が適用される他の装置への適用も本発明の権利範囲に属するとすべきである。
【００３７】
以上説明したように、本発明は上述した各実施例に限定されるのではなく、本発明の特許請求項で請求する範囲を逸脱することなく本発明が属する技術分野における通常の知識を有する者によって変形実施されることが可能であり、このような変形実施は本発明の範囲に属する。
【符号の説明】
【００３８】
１００      ワイヤー締付装置
１５１      回転カバー
１５３      中間部材
１５３ａ    弾性結合孔
１５３ｂ    第１装着部
１５３ｃ    弾性片
１５３ｄ    第２装着部
１５３ｆ    係止結合部
１５３ｚ    ラチェット型噛合部
１５５      巻取部材
１５５ｆ    係止型噛合部
１５７      ハウジング
１５７ｃ    ラチェット型ギア
１６０      サポート部
１６０ａ    ガイド部
１６０ｂ    係止部
Ｌ          ワイヤー
【図１】
0006681386.tif 000002
【図２】
0006681386.tif 000003
【図３】
0006681386.tif 000004
【図４】
0006681386.tif 000005
【図５】
0006681386.tif 000006
【図６】
0006681386.tif 000007